(57)【要約】【課題】ランドセルの伝統的なデザインに影響を与えることなく、ランドセルの側面に、光の反射部を適切に備えさせる。【解決手段】光の反射部２ａを前締め２に備えさせたランドセル１である。前記前締め２は、帯体６と、この帯体６の表面６ａに付設されて前記反射部２ａとなる反射シート７とを有している。前記帯体６を、前記帯体６の実質的に倍の幅を有するベースシート６ｃの左右両側部６ｄ、６ｄをそれぞれ、前記ベースシート６ｃの左側の側縁６ｅと右側の側縁６ｅとが前記ベースシート６ｃの一面６ｈ側で突き合うように折り込み接着させると共に、このように折り込まれたベースシート６ｃの左右両辺部６ｊ、６ｍにそれぞれその長さ方向に亘る縫い目６ｇを形成させたものとし、前記反射シート７を、前記帯体６の表面６ａであって前記縫い目６ｇの形成箇所を除いた部分に、溶着させてなる。【選択図】図６
2018157888.tif 000002
【特許請求の範囲】
【請求項１】
光の反射部を前締めに備えさせたランドセルであって、
前記前締めは、帯体と、この帯体の表面に付設されて前記反射部となる反射シートとを有しており、
前記帯体は、前記帯体の実質的に倍の幅を有するベースシートの左右両側部をそれぞれ、前記ベースシートの左側の側縁と右側の側縁とが前記ベースシートの一面側で向き合い、又は、突き合うように折り込み接着させると共に、このように折り込まれたベースシートの左右両辺部にそれぞれその長さ方向に亘る縫い目を形成させてなり、
前記反射シートは、前記帯体の表面であって前記縫い目の形成箇所を除いた部分の全部又は一部に、溶着されてなる、ランドセル。
【発明の詳細な説明】
【背景技術】
【０００１】
ランドセルに、光の反射部を備えさせることは、学童の通学時の安全性を確保する見地から有効である。しかし、ランドセルには伝統的に一定の範疇のデザインイメージが存在するため、単純にはランドセルに前記反射部を備えさせ難い。
【発明の概要】
【発明が解決しようとする課題】
【０００２】
この発明が解決しようとする主たる問題点は、ランドセルの伝統的なデザインに影響を与えることなく、ランドセルの側面に、光の反射部を適切に備えさせる点にある。
【課題を解決するための手段】
【０００３】
前記課題を達成するために、この発明にあっては、ランドセルを、光の反射部を前締めに備えさせたランドセルであって、
前記前締めは、帯体と、この帯体の表面に付設されて前記反射部となる反射シートとを有しており、
前記帯体を、前記帯体の実質的に倍の幅を有するベースシートの左右両側部をそれぞれ、前記ベースシートの左側の側縁と右側の側縁とが前記ベースシートの一面側で向き合い、又は、突き合うように折り込み接着させると共に、このように折り込まれたベースシートの左右両辺部にそれぞれその長さ方向に亘る縫い目を形成させたものとし、
前記反射シートを、前記帯体の表面であって前記縫い目の形成箇所を除いた部分の全部または一部に、溶着させてなる、ものとした。
【０００４】
かかる構成によれば、前締めを利用して、ランドセルの伝統的なデザインに影響を与えることなく、ランドセルの側面、より具体的には、おおまち部の側面に、光の反射部を適切に備えさせることができる。
【０００５】
前記反射部は、前記帯体の表面であって前記縫い目の形成箇所を除いた部分に前記反射シートを溶着させることで前記前締めに備えられており、このような反射部を備えた前締めは容易且つ低コストに提供可能である。
【発明の効果】
【０００６】
この発明によれば、ランドセルの伝統的なデザインに影響を与えることなく、ランドセルの側面に、光の反射部を適切に備えさせることができる。
【図面の簡単な説明】
【０００７】
【図１】図１は、この発明の一実施の形態に係るランドセルの斜視図であり、要部を実線で、その余の部分を破線で表している。
【図２】図２は、前記ランドセルを構成する前締め（第一例）の斜視図である。
【図３】図３は、前記前締めを構成するベースシートの要部斜視図である。
【図４】図４は、前記前締めを構成する帯体の製造工程を示した要部斜視図である。
【図５】図５は、前記前締めを構成する帯体の製造工程を示した要部斜視図である。
【図６】図６は、前記前締めの要部斜視図である。
【図７】図７は、前締めの第二例の要部斜視図である。
【図８】図８は、前締めの第三例の要部斜視図である。
【図９】図９は、前締めの参考例の要部斜視図である。
【発明を実施するための形態】
【０００８】
以下、図１〜図９に基づいて、この発明の典型的な実施の形態について、説明する。
【０００９】
この実施の形態にかかるランドセル１は、これを構成する前締め２に光の反射部２ａを備えており、これにより、ランドセル１のおおまち部３（主たる収納部）の外側においてその左右両側にそれぞれ、前締め２を利用して光の反射部２ａを備えさせるようになっている（図１）。
【００１０】
前記前締め２は、一端を前記おおまち部３におけるランドセル１の背側に鋲５によって固定され、他端はランドセル１のこまち部４（おおまち部３の前方に形成されるポケット）の前面に固定されて、こまち部４を保形するように機能する。
【００１１】
前記前締め２は、帯体６と、この帯体６の表面６ａに付設されて前記反射部２ａとなる反射シート７とを有している。
【００１２】
前記帯体６は、前記帯体６の実質的に二倍の幅を有するベースシート６ｃの左右両側部６ｄ、６ｄをそれぞれ、前記ベースシート６ｃの左側の側縁６ｅと右側の側縁６ｅとが前記ベースシート６ｃの一面６ｈ側で向き合い、又は、突き合うように折り込み接着させると共に、このように折り込まれたベースシート６ｃの左右両辺部６ｊ、６ｍにそれぞれその長さ方向に亘る縫い目６ｇを形成させてなる。
【００１３】
前記ベースシート６ｃは、前記反射シート７と溶着可能な材料から構成される。典型的には、前記ベースシート６ｃは熱可塑性の合成樹脂から構成される。
【００１４】
前記ベースシート６ｃの他面６ｉにおける前記のように折り込まれるベースシート６ｃの左右両辺部６ｊ、６ｍを除いた箇所が、前記帯体６の表面６ａを構成する。前記ベースシート６ｃの一面６ｈの全体に接着剤６ｆを塗布し（図３）、この後、前記のようにベースシート６ｃの左右両側部６ｄ、６ｄをそれぞれ折り込む（図４）。これにより、前記ベースシート６ｃの他面６ｉにおける前記のように折り込まれるベースシート６ｃの左右両側部６ｄ、６ｄが、前記帯体６の裏面６ｂを構成する。
【００１５】
図示の例では、前記のように折り込み接着されたベースシート６ｃに対し、その左辺部６ｊとの間に左側隙間６ｋを形成させた状態で縫い目６ｇを形成させると共に、その右辺部６ｍとの間に右側隙間６ｎを形成させた状態で縫い目６ｇを形成させることで、前記帯体６が構成されている。図示の例では、帯体６の両端部６ｏ、６ｏにおいて、左側の縫い目６ｇと右側の縫い目６ｇとは幅側縫い目６ｐによって連続するようになっている。
【００１６】
前記反射シート７は、前記帯体６の表面６ａであって前記縫い目６ｇの形成箇所を除いた部分に、溶着されている。
【００１７】
前記反射シート７としては、前記ベースシート６ｃと溶着可能なものを使用する。典型的には、前記反射シート７としては、ポリ塩化ビニルなどの熱可塑性の合成樹脂よりなるシート内に微小なガラス粒子を内蔵してこれにより入射光を光源方向に反射するように構成されたものが用いられる。
【００１８】
図１〜図６に示される例では、前記帯体６における前記左側隙間６ｋと、前記右側隙間６ｎとにそれぞれ、前記反射シート７が線状に止着されるように、前記帯体６の表面６ａに前記反射シート７を溶着させている。かかる溶着は、典型的には、高周波溶着や超音波溶着によってなすようにする。
【００１９】
このように構成される前記前締め２は、前記帯体６の裏面６ｂをランドセル１のおおまち部３の外側面に向き合わせるように備え付けられる。
【００２０】
この実施の形態にあっては、前締め２を利用して、ランドセル１の伝統的なデザインに影響を与えることなく、ランドセル１の側面、より具体的には、おおまち部３の側面に、光の反射部２ａを適切に備えさせることができる。
【００２１】
前記反射部２ａは、前記帯体６の表面６ａであって前記縫い目６ｇの形成箇所を除いた部分に前記反射シート７を溶着させることで前記前締め２に備えられており、このような反射部２ａを備えた前締め２は容易且つ低コストに提供可能である。
【００２２】
例えば、図９に示されるように、合成皮革製帯体１００の裏面に、合成皮革製帯体１００の幅よりも幅を大きくする反射シート製帯体１０１を、反射シート製帯体１０１の左右両側部１０１ａ、１０１ａが合成皮革製帯体１００の左右両側部よりも外方にはみ出すようにして、前記合成皮革製帯体１００と反射シート製帯体１０１とを重ね合わせ縫着させるようにしても、前締め２の左右両縁部に線状をなすように反射部１０２は形成可能であるが、このような手法に比べ、本実施の形態によればより容易で、しかも、反射シート７の使用量を最小化させる態様で、前締め２の表面、つまり、前記帯体６の表面６ａに反射部２ａを備えさせることができる。
【００２３】
図７は、前記帯体６における前記左側隙間６ｋと、前記右側隙間６ｎと、左側の縫い目６ｇと右側の縫い目６ｇの間に位置される前記帯体６の中央部６ｑとにそれぞれ、前記反射シート７を帯体６の長さ方向に亙るように止着させた例を示している。
【００２４】
図８は、前記帯体６における左側の縫い目６ｇと右側の縫い目６ｇの間に位置される前記帯体６の中央部６ｑに、前記反射シート７を長さ方向に亙るように止着させた例を示している。
【００２５】
なお、当然のことながら、本発明は以上に説明した実施態様に限定されるものではなく、本発明の目的を達成し得るすべての実施態様を含むものである。
【符号の説明】
【００２６】
１  ランドセル
２  前締め
２ａ  反射部
６  帯体
６ａ  表面
６ｃ  ベースシート
６ｄ  側部
６ｅ  側縁
６ｇ  縫い目
６ｈ  一面
６ｊ  左辺部
６ｍ  右辺部
【図１】
2018157888.tif 000003
【図２】
2018157888.tif 000004
【図３】
2018157888.tif 000005
【図４】
2018157888.tif 000006
【図５】
2018157888.tif 000007
【図６】
2018157888.tif 000008
【図７】
2018157888.tif 000009
【図８】
2018157888.tif 000010
【図９】
2018157888.tif 000011